(57)【要約】【課題】  掻き上げ体の掻き上げ部が掻き上げた大粒ゴミを塵取部のゴミ受け部に確実に送り込み可能にすること。【解決手段】  フレーム１５に掻き上げ体１６を支持し、掻き上げ体１６の上部に粘着ロール２１を載置し、掻き上げ体１６の清掃方向に沿う後部に塵取部２３を配置してなる清掃具１０であって、塵取部２３の上部で、塵取部２３と粘着ロール２１との間に、掻き上げ体１６が掻き上げたゴミを止めて塵取部２３の中に落とすゴミ止め部５０を設置したもの。【選択図】  図１２
2005245886.tif 000002
【特許請求の範囲】
【請求項１】
フレームに掻き上げ体を支持し、
掻き上げ体の上部に粘着ロールを載置し、
掻き上げ体の清掃方向に沿う後部に塵取部を配置してなる清掃具であって、
塵取部の上部で、塵取部と粘着ロールとの間に、掻き上げ体が掻き上げたゴミを止めて塵取部の中に落とすゴミ止め部を設置した清掃具。
【請求項２】
前記掻き上げ体の前部で、粘着ロールとの近接部から床面との近接部に渡る範囲に、該掻き上げ体を覆うガードカバーを設置した請求項１に記載の清掃具。
【発明の詳細な説明】
【技術分野】
【０００１】
本発明は清掃具に関する。
【背景技術】
【０００２】
清掃具として、特許文献１に記載の如く、フレームに掻き上げ体を支持し、掻き上げ体の上部に粘着ロールを載置し、掻き上げ体の清掃方向に沿う後部に塵取部を配置してなるものがある。
【０００３】
清掃具を床面上で前進させ、掻き上げ体を回転させ、同時に粘着ロールを連れ回り回転させる。掻き上げ体のブラシ等の掻き上げ部が床面上のゴミを掻き上げると、小さなゴミは掻き上げ部に付着等し、又は塵取部のすくい面部により上方にガイドされて粘着ロールの側に送り出され、粘着ロールの粘着シートに粘着されて捕捉される。大粒ゴミは、すくい面部の上縁を乗り越えて後方のゴミ受け部に送り込まれて捕捉される。
【特許文献１】特開2003-199698
【発明の開示】
【発明が解決しようとする課題】
【０００４】
特許文献１の清掃具では、掻き上げ体の掻き上げ部に掻き上げられた大粒ゴミが、塵取部のゴミ受け部に送り込まれず、慣性等で粘着ロールの側に送り出されて粘着シートに粘着補足されてしまうことがある。粘着シートに捕捉された大粒ゴミは、粘着シートのゴミ捕捉力を低下するし、粘着ロールを覆っているカバー等との間に噛み、スムースな清掃を阻害する。
【０００５】
また、特許文献１の清掃具では、掻き上げ体の掻き上げ部にくい込んだ小粒ゴミが、粘着ロールの粘着シートに粘着されずに、掻き上げ部とともに一回転した遠心力で掻き上げ部に対する清掃方向の前方遠くへ吐き飛ばされ、ゴミ捕捉効率を損なうことがある。
【０００６】
本発明の課題は、掻き上げ体の掻き上げ部が掻き上げた大粒ゴミを塵取部のゴミ受け部に確実に送り込み可能にすることにある。
【０００７】
本発明の他の課題は、掻き上げ体の掻き上げ部にくい込んだ小粒ゴミの捕捉効率を向上することにある。
【課題を解決するための手段】
【０００８】
請求項１の発明は、フレームに掻き上げ体を支持し、掻き上げ体の上部に粘着ロールを載置し、掻き上げ体の清掃方向に沿う後部に塵取部を配置してなる清掃具であって、塵取部の上部で、塵取部と粘着ロールとの間に、掻き上げ体が掻き上げたゴミを止めて塵取部の中に落とすゴミ止め部を設置したものである。
【発明を実施するための最良の形態】
【０００９】
清掃具１０は、床面１上のゴミ、例えば大粒、小粒の粒ゴミ、又はカーペット等の繊維に絡み付いた髪の毛等のゴミを捕集するものであり、図１〜図３に示す如く、柄１１の先端部に継手部１２を介して支持アーム１３を結合し、支持アーム１３の両側アーム部１３Ａに支軸部１４を介してフレーム１５を前後方向に揺動自在に支持している。
【００１０】
フレーム１５の清掃方向に沿う前部には可撓掻き上げ体１６が回動自在に支持され、フレーム１５の清掃方向に沿う後部には接触回転体１８が回動自在に支持され、掻き上げ体１６と接触回転体１８は平行に並べられて配置される。
【００１１】
掻き上げ体１６は、回転軸１６Ａと、回転軸１６Ａの軸方向の全長に渡って植設されたブラシからなる掻き上げ部１６Ｂと、回転軸１６Ａの両端部に結合された両側の増速タイヤ１７（変速タイヤ）からなる。掻き上げ部１６Ｂは粘着ロール２１に接触しても、接触しなくても良い。両側のタイヤ１７は該タイヤ１７にゴミがかみ込まないようにフレーム１５の両外側に配置されるが、フレーム１５の内側に設けても良い。
【００１２】
接触回転体１８は、粘着ロール２１のための駆動手段であり、回転軸１８Ａと、回転軸１８Ａの軸方向の両端側２位置（軸方向３位置等の複数位置でも可）に固定される円盤状の回転子１８Ｂと、回転軸１８Ａの両端部に結合された両側の増速タイヤ１９（変速タイヤ）からなる。回転子１８Ｂは粘着ロール２１に接触する。両側のタイヤ１９はフレーム１５の両外側に配置される。
【００１３】
掻き上げ体１６の掻き上げ部１６Ｂと接触回転体１８の回転子１８Ｂの上には、それらに跨がる粘着ロール２１（ゴミ捕集手段）が乗せられて載置され、粘着ロール２１は掻き上げ体１６と接触回転体１８の回転に連れ回る。粘着ロール２１は、粘着シートの巻取りロールの構成、又は表面が粘着性のエラストマーからなり、その表面を洗浄して再使用可能とする構成等を含む。本実施例の粘着ロール２１は、粘着シート２１Ａをコア２１Ｂに巻き回し、粘着シート２１Ａの粘着面を外側に向けて巻出し可能かつ切断可能にした巻取りロールにて構成される。
【００１４】
フレーム１５における掻き上げ体１６の掻き上げ部１６Ｂの後部には塵取部２３（ゴミ捕集手段）が支持されている。塵取部２３は、フレーム１５に後述する如くに着脱可能にされ、接触回転体１８の回転子１８Ｂの下方の前後に渡る範囲に延在されて透明材料からなるトレイ状のゴミ受け部２３Ａと、ゴミ受け部２３Ａの前縁に設けられて掻き上げ体１６の掻き上げ部１６Ｂの全巾に沿って隙間なく（隙間を介して）相対する後方に向けて上り勾配をなす平面状（又は曲面状）のすくい面部２３Ｂを有する。塵取部２３は、すくい面部２３Ｂ〜床面部２３Ｃの最下端部を床面に隙間なく接し、掻き上げ体１６の掻き上げ部１６Ｂが掻き上げるゴミを床面に沿う後方に逃がすことなく、その全てのゴミをすくい面部２３Ｂにより粘着ロール２１の側にガイドし、大きなゴミはすくい面部２３Ｂに後続するゴミ受け部２３Ａに送り込む。塵取部２３のゴミ受け部２３Ａは、有底トレイ体の底面２３Ｄの前端にすくい面部２３Ｂを立上げ、底面２３Ｄの両側端及び後端に側壁を立上げ、天面の前端側半部を後述するゴミ止め部５０が形成する送り込み間隔５１に開放し、天面の後端側半部を袋状に閉じた後端袋状部２３Ｅとする。
【００１５】
清掃具１０による清掃動作は以下の通りなされる。
(1)柄１１の軸方向に加える操作力によりフレーム１５を介して掻き上げ体１６のタイヤ１７及び接触回転体１８のタイヤ１９を床面に加圧しながら清掃具１０を前進させ、掻き上げ体１６及び接触回転体１８を回動させ、同時に粘着ロール２１を連れ回り回転させる。
【００１６】
(2)掻き上げ体１６の掻き上げ部１６Ｂが床面上のゴミを掻き上げると、このゴミは塵取部２３のすくい面部２３Ｂにガイドされて粘着ロール２１の側に送り出され、粘着ロール２１の粘着面に吸着捕捉される。大きなゴミはすくい面部２３Ｂからゴミ受け部２３Ａに送り込まれて捕捉される。
【００１７】
(3)粘着ロール２１の粘着面の全周に多量のゴミが捕捉されたことが視認されたら、粘着シート２１Ａの１周分を剥離切断除去し、新規粘着面を露出せしめる。
【００１８】
(4)塵取部２３のゴミ受け部２３Ａに多量のゴミがたまったことを視認したら、塵取部２３をフレーム１５から外し、ゴミ受け部２３Ａのゴミを廃棄する。
【００１９】
尚、清掃具１０は前進だけでなく、後進もできる。塵取部２３は、すくい面部２３Ｂの底面部２３Ｃの尾端部をアール状に跳ね上げ、後進時にこの尾端部が床面に引掛かるのを防止する。
【００２０】
清掃具１０にあっては、前述した如く、接触回転体１８が回転軸１８Ａと回転子１８Ｂとからなるものにしたから、下記(a)、(b)の構成を具備することになる。尚、接触回転体１８の回転軸１８Ａ及び回転子１８Ｂは、フレーム１５と塵取部２３に挟まれる空間に配置される。
【００２１】
(a)接触回転体１８の回転軸１８Ａは、回転子１８Ｂが固定されていない部分で、粘着ロール２１と大きな隙間を介して離隔する。
【００２２】
(b)接触回転体１８の回転軸１８Ａは、回転子１８Ｂが固定されていない部分で、塵取部２３（ゴミ受け部２３Ａの底面２３Ｄ）と、大きな隙間を介して離隔する。尚、ゴミ受け部２３Ａの底面２３Ｄのうち、回転子１８Ｂに相対する部分は円弧状くぼみ部２３Ｆとされる。
【００２３】
ここで、接触回転体１８の回転子１８Ｂは、シリコンゴム製Ｏリング等の環状リング１８Ｃを外周に備える。環状リング１８Ｃは回転子１８Ｂに設けた環状溝に装填される。
【００２４】
清掃具１０にあっては、（Ａ）掻き上げ体１６の掻き上げ部１６Ｂとタイヤ１７との偏心構造、及び接触回転体１８の回転子１８Ｂとタイヤ１９との偏心構造、（Ｂ）粘着ロール２１と塵取部２３の間に設けたゴミ止め部５０、及び掻き上げ体１６を覆うガードカバー６０、（Ｃ）粘着ロールホルダ７０を以下の如くに有する。
【００２５】
（Ａ）掻き上げ体１６の掻き上げ部１６Ｂとタイヤ１７との偏心構造、及び接触回転体１８の回転子１８ｂとタイヤ１９との偏心構造（図１、図４〜図１１）
【００２６】
清掃具１０は、図４に示す如く、掻き上げ体１６の掻き上げ部１６Ｂをそのタイヤ１７に対して上方に偏心させ、接触回転体１８の回転子１８Ｂをそのタイヤ１９に対して上方に偏心させる。
【００２７】
タイヤ１７に対する掻き上げ部１６Ｂの偏心構造は以下の通りである（図４〜図７）。フレーム１５の両側壁に設けた軸支部に支持部材３０を固定的に支持し、掻き上げ体１６の回転軸１６Ａの両端部に小歯車３１を回り止め状態で嵌着し、小歯車３１のボス部３１Ａを両側の支持部材３０の偏心孔（中心孔に対して偏心配置される）のそれぞれに挿入して枢着する。他方、両側の支持部材３０が備える中心孔のそれぞれにタイヤ１７の中心軸１７Ａを挿入して枢着するとともに、タイヤ１７のカップ状のホイール部１７Ｂを支持部材３０の外周に抜け止め状態で嵌装して回転可能に摺動支持し、タイヤ１７の中心軸１７Ａ、ホイール部１７Ｂと同軸的に設けてある内歯歯車３２を小歯車３１に噛合いさせる。尚、ホイール部１７Ｂの外周にはゴム輪１７Ｃが被着される。
【００２８】
即ち、掻き上げ体１６は、タイヤ１７に同軸的に設けた内歯歯車３２に、掻き上げ部１６Ｂの回転軸１６Ａに固定した小歯車３１を噛合いさせることにて、掻き上げ部１６Ｂをそのタイヤ１７に対して上方（好適には、上方かつ後部寄り、但し、本実施例では上方かつ前部寄り）に偏心させる。尚、掻き上げ体１６は、タイヤ１７の側の内歯歯車３２と掻き上げ部１６Ｂの側の小歯車３１の噛合いにより、タイヤ１７の回転を増速して掻き上げ部１６Ｂに伝える。
【００２９】
タイヤ１９に対する回転子１８Ｂの偏心構造は、タイヤ１７に対する掻き上げ部１６Ｂの偏心構造と実質的に同じであり、以下の通りである（図４、図８、図９）。フレーム１５の両側壁に設けた軸支部に支持部材４０を固定的に支持し、接触回転体１８の回転軸１８Ａの両端部に小歯車４１を回り止め状態で嵌着し、小歯車４１のボス部４１Ａを両側の支持部材４０の偏心孔（中心孔に対して偏心配置される）のそれぞれに挿入して枢着する。他方、両側の支持部材４０が備える中心孔のそれぞれにタイヤ１９の中心軸１９Ａを挿入して枢着するとともに、タイヤ１９のカップ状のホイール部１９Ｂを支持部材４０の外周に抜け止め状態で嵌装して回転可能に摺動支持し、タイヤ１７の中心軸１９Ａ、ホイール部１９Ｂと同軸的に設けてある内歯歯車４２を小歯車４１に噛合いさせる。尚、ホイール部１９Ｂの外周にはゴム輪１９Ｃが被着される。
【００３０】
即ち、接触回転体１８は、タイヤ１９に同軸的に設けた内歯歯車４２に、回転子１８Ｂの回転軸１８Ａに固定した小歯車４１を噛合いさせることにて、回転子１８Ｂをそのタイヤ１９に対して上方（好適には、上方かつ前部寄り）に偏心させる。尚、接触回転体１８は、タイヤ１９の側の内歯歯車４２と回転子１８Ｂの側の小歯車４１の噛合いにより、タイヤ１９の回転を増速して回転子１８Ｂに伝える。
【００３１】
清掃具１０にあっては、掻き上げ体１６の掻き上げ部１６Ｂをそのタイヤ１７に対して上方に偏心させ、接触回転体１８の回転子１８Ｂをそのタイヤ１９に対して上方に偏心させることにより、粘着ロール２１を上方へ持ち上げることを可能にした（図４（Ｂ）の粘着ロール２１と塵取部２３のすくい面部２３Ｂの上縁との間隔Ｈの拡大）。これにより、フレーム１５に後述のゴミ止め部５０を設けるに際しても、粘着ロール２１の最下降端に律則されるゴミ止め部５０の配置を可及的に上方に設置し、このゴミ止め部５０が塵取部２３のすくい面部２３Ｂの上側に設けるゴミの送り間隔（ゴミ送り込み口）５１を可及的に大きく設定することを可能にする。掻き上げ体１６の掻き上げ部１６Ｂが掻き上げた大粒ゴミを、塵取部２３のすくい面部２３Ｂから、粘着ロール２１の下方、本実施例ではゴミ止め部５０の下方の送り込み間隔５１経由で、ゴミ受け部２３Ａに送り込みできる。
【００３２】
また、清掃具１０にあっては、タイヤ１７を大径化せずに、掻き上げ体１６の掻き上げ部１６Ｂを大径化でき、図１０に示す如く、塵取部２３のすくい面部２３Ｂの先端から掻き上げ部１６Ｂの中心までの距離Ｌを粒ゴミの大きさより大きく設定できる（図１０（Ｂ））。掻き上げ体１６の掻き上げ部１６Ｂが小径で、Ｌが粒ゴミの大きさより小さい設定（図１０（Ａ））では、掻き上げ部１６Ｂがゴミの後を床面に押え付け、ゴミを跳ね上げできない。掻き上げ体１６の掻き上げ部１６Ｂが大径で、Ｌが粒ゴミの大きさより大きい設定（図１０（Ｂ））では、掻き上げ部１６Ｂがゴミの後をすくい面部２３Ｂに沿う方向に持ち上げ、ゴミを跳ね上げできる。
【００３３】
また、清掃具１０は、図１１に示す如く、フレーム１５の両外側に掻き上げ体１６のタイヤ１７と、接触回転体１８のタイヤ１９を並置し、フレーム１５の外側における前後方向で前後のタイヤ１７、１９に挟まれる位置に支持アーム１３の支軸部１４を揺動可能に支持する。
【００３４】
更に、清掃具１０は、掻き上げ体１６のタイヤ１７の外側面を支持アーム１３のアーム部１３Ａの外側面と概ね面一にし、接触回転体１８のタイヤ１９の外側面を支持アーム１３のアーム部１３Ａの内側面より内方に配置し、支持アーム１３のアーム部１３Ａを接触回転体１８のタイヤ１９の外側面に対する側方にまで揺動できるようにした。図１１に実線で示した支持アーム１３におけるアーム部１３Ａの外側面が規定する清掃具１０の概ね全巾に渡って掻き上げ体１６及びそのタイヤ１７を設け、清掃具１０の全巾に占める掻き上げ部１６Ｂの掻き上げ範囲を、タイヤ１７によるデッドスペースＬ1（例えば14mm）分減ずるだけの範囲に可及的に拡大できる。図１１の２点鎖線の支持アーム１３は、掻き上げ体１６のタイヤ１７の外側面より外方にアーム部１３Ａの外側面を設け、デッドスペースＬ2（例えば26.5mm）を大きくする結果、清掃具10の全巾に占める掻き上げ部１６Ｂの掻き上げ範囲をより小さくするものである。
【００３５】
尚、清掃具１０は、柄１１及び支持アーム１３によりフレーム１５を持ち上げた保管状態で、掻き上げ体１６の方が接触回転体１８より前方かつ上方に位置付けられる傾斜状態となるように、フレーム１５及びその取付部品の重心を支持アーム１３の支軸部１４まわりに位置設定しており、このときに支持アーム１３のアーム部１３Ａは接触回転体１８のタイヤ１９の外側面に対する側方に位置付けられる。
【００３６】
本実施例によれば以下の作用効果を奏する。
(a)掻き上げ体１６の掻き上げ部１６Ｂはそのタイヤ１７に対して上方に偏心させ、及び（又は）接触回転体１８の回転子１８Ｂをそのタイヤ１９に対して上方に偏心させることにより、粘着ロール２１を上方へ持ち上げた。従って、この粘着ロール２１が粘着シート２１Ａを１周分ずつ剥離切断除去し、新規粘着シート２１Ａを露出させることにて繰り返し使用され、次第に小径化され、掻き上げ体１６の掻き上げ部１６Ｂと接触回転体１８の回転子１８Ｂに跨った状態での高さ位置を次第に下降するときにも、その最下降端を従来より上方に設定できる。このため、粘着ロール２１の最下降端に律則される後述のゴミ止め部５０の配置を可及的に上方に設置し、このゴミ止め部５０が塵取部２３のすくい面部２３Ｂの上側に設けるゴミ送り間隔５１を可及的に大きく設定する。従って、掻き上げ体１６の掻き上げ部１６Ｂが掻き上げた大粒ゴミは、塵取部２３のすくい面部２３Ｂからゴミ送り込み間隔５１を通ってゴミ受け部２３Ａに送り込まれて捕捉される。これにより、大粒ゴミがゴミ受け部２３Ａに送り込まれず、粘着ロール２１の側に送り出されて粘着シート２１Ａに粘着し、その大粒ゴミが粘着シート２１Ａのゴミ捕捉力を低下させてり、粘着ロール２１とこれを覆うフレーム１５等や接触回転体１８の回転子１８Ｂとの間に噛み込む等を招くことなく、清掃のスムースを図ることができる。
【００３７】
(b)掻き上げ体１６の掻き上げ部１６Ｂをタイヤ１７に対して上方に偏心させるものであるから、タイヤ１７を小径化しながら、タイヤ１７から大きく突き出る掻き上げ部１６Ｂの上部で粘着ロール２１を持ち上げでき、清掃具１０の小型、軽量を図ることができる。掻き上げ部１６Ｂの床面接地部は、タイヤ１７から大きく突き出ることなく、回転トルクを過大にすることがない。
【００３８】
(c)接触回転体１８の回転子１８Ｂをタイヤ１９に対して上方に偏心させるものであるから、タイヤ１９を小径化しながら、回転子１８Ｂを床面に接地させることなく上方に突出させて粘着ロール２１を持ち上げでき、清掃具１０の小型、軽量を図ることができる。
【００３９】
(d)支持アーム１３をフレーム１５の外側における両タイヤ１７、１９に挟まれる位置に揺動可能に支持したから、支持アーム１３を両タイヤ１７、１９に挟まれる範囲より上側位置にて支持するものに比し、支持アーム１３に加える操作力により両タイヤ１７、１９を安定確実に床面に押し当て回転でき、清掃の安定を図ることができる。
【００４０】
(e)掻き上げ体１６のタイヤ１７の外側面を支持アーム１３の外側面と概ね面一にし、接触回転体１８のタイヤ１９の外側面を支持アーム１３の内側面より内方に配置したから、掻き上げ体１６を支持アーム１３の外側面が規定する清掃具１０の概ね全巾に渡って設け、ひいては清掃具１０の全巾に占める掻き上げ部１６Ｂの掻き上げ範囲を可及的に大きくとることができる。清掃具１０による清掃効率の向上を図ることができる。
【００４１】
（Ｂ）粘着ロール２１と塵取部２３の間に設けたゴミ止め部５０、及び掻き上げ体１６を覆うガードカバー６０（図１、図１２〜図１４）
【００４２】
清掃具１０は、図１、図４（Ａ）、図１２に示す如く、塵取部２３に対する上部で、塵取部２３と粘着ロール２１との間に、フレーム１５の一部にて構成されるゴミ止め部５０を設置してある。ゴミ止め部５０は、塵取部２３のすくい面部２３Ｂ及びゴミ受け部２３Ａの前寄り部分に対する上方遮蔽部（天井部）を形成するように、フレーム１５の巾方向の全域に渡る板状をなす。
【００４３】
ゴミ止め部５０の前縁部は掻き上げ体１６の掻き上げ部１６Ｂに接し、又は僅かな隙間を介して相対するとともに、塵取部２３のすくい面部２３Ｂの上縁部との間にゴミ送り込み間隔（ゴミ送り込み口）５１を形成する。ゴミ止め部５０は前縁部から概ね水平状に後方に延在し、後縁部に塵取部２３におけるゴミ受け部２３Ａの後端袋状部２３Ｅの上面先端部が着脱可能に添設される。これにより、ゴミ止め部５０は、図１２（Ａ）に示す如く、掻き上げ体１６の掻き上げ部１６Ｂが掻き上げた大粒ゴミＡ、小粒ゴミＢ等の粒ゴミを受け止めて塵取部２３の中（ゴミ受け部２３Ａ）に落とす。
【００４４】
尚、掻き上げ体１６の掻き上げ部１６Ｂに付着した髪の毛等の小さなゴミＣは、塵取部２３のすくい面部２３Ｂにより上方にガイドされ、粘着ロール２１の側に送り出され、粘着ロール２１の粘着シート２１Ａに粘着されて捕捉される。
【００４５】
清掃具１０は、塵取部２３のゴミ受け部２３Ａの前寄り部分とゴミ止め部５０との間に接触回転体１８の回転軸１８Ａを配置しており、回転軸１８Ａに固定される回転子１８Ｂの上側の一部をゴミ止め部５０に切欠形成したスリットから粘着ロール２１の側に突き出し配置させている。
【００４６】
清掃具１０は、図１、図４（Ａ）、図１２に示す如く、掻き上げ体１６の前部で、粘着ロール２１との近接部から床面との近接部に渡る範囲に、掻き上げ部１６Ｂ及びタイヤ１７の表面に対し一定の隙間を介してそれらの掻き上げ部１６Ｂ、タイヤ１７を覆うガードカバー６０を設置してある。
【００４７】
ガードカバー６０は、床面から大粒ゴミを捕獲し得る隙間を確保し、床面からの高さ方向で掻き上げ体１６の中心より低い位置まで延設することが好ましく、より好ましくは、掻き上げ体１６の中心より低い位置で掻き上げ体１６の側に延出部を備える。図１、図４（Ａ）、図１２に示すガードカバー６０は、掻き上げ部１６Ｂ、タイヤ１７の表面に対して一定の隙間を介することにより、掻き上げ体１６の表面に沿って設置してある。
【００４８】
ガードカバー６０はフレーム１５の一部にて構成され、フレーム１５の巾方向の全域に渡る円弧板状をなす。これにより、ガードカバー６０は、掻き上げ体１６の掻き上げ部１６Ｂに食い込んだ小粒ゴミＢが粘着ロール２１の粘着シート２１Ａに粘着されずに、掻き上げ部１６Ｂとともに一回転したとき、遠心力により清掃方向の前方遠くへ掃き飛ばされることを防止し、掻き上げ部１６Ｂの足元（前面床）に落下せしめる。
【００４９】
清掃具１０は、塵取部２３をフレーム１５に対し着脱自在にしている。塵取部２３は、図１３（Ａ）に示す如く、ゴミ受け部２３Ａの前縁に設けたすくい面部２３Ｂの両端部を、ゴミ受け部２３Ａの全巾より外方に張り出した前側係止部２３Ｇとし、この前側係止部２３Ｇを清掃具１０の使用状態で床面に臨むフレーム１５の下部両側壁に設けた係止面１５Ａに係止可能にしている。前側係止部２３Ｇと係止面１５Ａは、前側係止部２３Ｇが係止面１５Ａに係入する方向で、後方（掻き上げ体１６から接触回転体１８に向かう側）に向けて傾斜する斜面をなす。他方、塵取部２３は、図１３（Ｂ）に示す如く、後端袋状部２３Ｅの上面に後側係止片２３Ｈを前後方向にスライド可能に支持し、後端袋状部２３Ｅの上面に内蔵するスプリング２３Ｉ（図１）により後側係止片２３Ｈを前方に向けて付勢している。塵取部２３は、前側係止部２３Ｇをフレーム１５の係止面１５Ａに係入させる状態で、後端袋状部２３Ｅの上面の先端部をゴミ止め部５０の後端部の下面側に添設すると同時に、後側係止片２３Ｈをゴミ止め部５０の後端部の上面側に係止することにて、フレーム１５に固定的に取付けられる。
【００５０】
塵取部２３のゴミ受け部２３Ａのゴミの廃棄に際しては、図１４に示す如く、フレーム１５を前述の保管状態の如くに持ち上げて掻き上げ体１６の側を上方とする傾斜状にし、ゴミ受け部２３Ａの前側（掻き上げ体１６の側）にあったゴミを後方の後端袋状部２３Ｅの側に移動させる状態とする。この状態下で、後側係止片２３Ｈをスプリング２３Ｉに抗して後方に移動することによりゴミ止め部５０の後端部から係止解除し、塵取部２３をフレーム１５から外し、ゴミ受け部２３Ａのゴミをゴミ箱等に廃棄する。
【００５１】
本実施例によれば以下の作用効果を奏する。
(a)掻き上げ体１６の掻き上げ部１６Ｂに掻き上げられた大粒ゴミが乾燥等で粘着ロール２１の側に送り出されそうになっても、この大粒ゴミはその途中に設けられているゴミ止め部５０に衝突して止められ、塵取部２３のゴミ受け部２３Ａに落下捕捉せしめられる。従って、大粒ゴミは、塵取部２３のすくい面部２３Ｂとゴミ止め部５０との間のゴミ送り込み間隔５１から塵取部２３のゴミ受け部２３Ａに確実に送り込まれる。大粒ゴミが粘着ロール２１の側に送り出されることなく、粘着シート２１Ａに捕捉されてそのゴミ捕捉力を低下することがないし、粘着ロール２１を覆っているカバー（本実施例では後述する粘着ロールホルダ７０）との間に噛むこともなく、清掃のスムースを図ることができる。
【００５２】
ゴミ止め部５０は、塵取部２３におけるゴミ受け部２３Ａの後端袋状部２３Ｅの先端部に添設するように延在する。これにより、塵取部２３のゴミ受け部２３Ａは、掻き上げ体１６の掻き上げ部１６Ｂに臨むゴミ送り込み間隔５１だけを開口し、他は全て閉鎖されるものになり、ゴミの不測のこぼれをなくすだけでなく、清掃具１０を上下反転したときにもゴミ受け部２３Ａ内のゴミが粘着ロール２１に付着せず、その後の粘着ロール２１の円滑な回転を阻害することもない。
【００５３】
(b)掻き上げ体１６の掻き上げ部１６Ｂに食い込んだ小粒ゴミが、粘着ロール２１の粘着シート２１Ａに粘着されずに、掻き上げ体１６とともに一回転したとき、小粒ゴミはガードカバー６０の存在により掻き上げ部１６Ｂに対する清掃方向の前方遠くへ掃き飛ばされず、掻き上げ部１６Ｂの足元（前面床）に落下せしめられる。これにより、小粒ゴミは、掻き上げ体１６の掻き上げ部１６Ｂによりその前面床から再び掻き上げられ、再捕捉が試みられる。これにより、清掃具１０によるゴミ捕捉効率の向上が図られる。
【００５４】
（Ｃ）粘着ロールホルダ７０（図１、図２、図１５〜図１８）
清掃具１０は、図１、図２に示す如く、フレーム１５の上面中央部に概ね矩形枠状をなして立上げた窓枠１５Ｂを備え、粘着ロールホルダ７０を窓枠１５Ｂに着脱自在にする。
【００５５】
粘着ロールホルダ７０は、図１５に示す如く、半円弧状断面又はＵ字状断面等の透明材料からなる半割り筒状体７１を有し、半割り筒状体７１の一端壁７２Ａから長手方向の内方に沿って突設した固定支軸７３と、他端壁７２Ｂから長手方向の内方に沿って突設した可動支軸７４のそれぞれを互いに同軸上に配置してある。可動支軸７４は、壁７２Ｂを貫通し、壁７２Ｂの外側にノブ７４Ａを、内側に支持部７４Ｂを備えるものとし、壁７２Ｂと支持部７４Ｂの間に圧縮ばね７４Ｃを介装し、圧縮ばね７４Ｃにより支持部７４Ｂを内方向きに弾発させている。ノブ７４Ａにより支持部７４Ｂを壁７２Ｂ寄りに引込んだ状態で粘着ロール２１の筒状コア２１Ｂの中空部の一端を固定支軸７３に嵌め、次に、圧縮ばね７４Ｃにより支持部７４Ｂを内方向きに移動し、支持部７４Ｂをコア２１Ｂの中空部の他端に嵌めることにて、新規粘着ロール２１を交換可能に保持する。使用済粘着ロール２１の取外しは逆の手順になる。
【００５６】
粘着ロールホルダ７０は、半割り筒状体７１の外周壁をフレーム１５の窓枠１５Ｂに概ね隙間なく嵌合し、半割り筒状体７１の前後壁に設けてある突状係合部７５を、窓枠１５Ｂの前後枠に設けてある孔部７６に弾発的に係脱し、これによって窓枠１５Ｂへの嵌合を固定化される。
【００５７】
粘着ロールホルダ７０がフレーム１５の窓枠１５Ｂに嵌合固定されたとき、粘着ロール２１は、図１に示す如く、窓枠１５Ｂの枠内で、ゴミ止め部５０の前縁とガードカバー６０の後縁に区画される開口部１５Ｃを介して掻き上げ体１６の掻き上げ部１６Ｂに臨むものになる。
【００５８】
粘着ロールホルダ７０は以下の如く使用される。
(1)清掃具１０に固定した粘着ロールホルダ７０の透明半割り筒状体７１を通して粘着ロール２１の粘着シート２１Ａに多量のゴミが捕捉されたことを視認したときには、図１６（Ａ）に示す如く、窓枠１５Ｂの前後枠の上縁中央部に凹設したへこみ部１５Ｄに指先を入れて半割り筒状体７１の前後壁を手で握り、この半割り筒状体７１を窓枠１５Ｂから外すとともに上下反転し、上方に臨ませた粘着シート２１Ａの１回分を剥離し、半割り筒状体７１の前後壁エッジを用いてその剥離端を切断する。
【００５９】
(2)粘着ロール２１の全ての粘着シート２１Ａを使用し尽くしたときには、図１６（Ｂ）に示す如く、可動支軸７４のノブ７４Ａを引き、粘着ロール２１を固定支軸７３、可動支軸７４から外す。そして、新規粘着ロール２１を固定支軸７３、可動支軸７４に保持する。
【００６０】
尚、清掃具１０から外した粘着ロールホルダ７０は、図１７に示す如く、半割り筒状体７１を手で持ち、粘着ロール２１を床面上に転がすことにて、隅等の清掃に供することもできる。
【００６１】
また、清掃具１０は、図１８に示す如く、粘着ロールホルダ７０を外して全体の高さを低くし（例えば全高寸法を80mmから65mmに低くする）、家具の下等の高さ寸法が狭い所の粒ゴミの清掃に供することもできる。清掃具１０では、粘着ロール２１を外しても、塵取部２３の上部に、掻き上げ体１６の掻き上げ部１６Ｂに近接するゴミ止め部５０が設置されているから、掻き上げ部１６Ｂが掻き上げた粒ゴミを塵取部２３のゴミ受け部２３Ａに捕捉できる。
【００６２】
本実施例によれば以下の作用効果を奏する。
(a)粘着ロールホルダ７０に保持した粘着ロール２１をホルダ７０とともに清掃具１０のフレーム１５に着脱できる。従って、粘着ロール２１の粘着シート２１Ａを剥離切断するときには、粘着ロール２１をホルダ７０とともに清掃具１０のフレーム１５から外し、ホルダ７０を手で持って粘着シート２１Ａを剥離切断する。ホルダ７０は小寸法コンパクトで持ち易く、粘着ロール２１を回転自在に支持して粘着シート２１Ａを広く外界に露出するものであるから、粘着ロール２１を容易に回転して粘着シート２１Ａの先端を探し易くできるし、その先端を容易につまむことができる。
【００６３】
(b)粘着ロールホルダ７０が半割り筒状体７１を有してなるから、半割り筒状体７１の外面を手でしっかりとつかむことができる。ホルダ７０をフレーム１５に取付けたとき、半割り筒状体７１により粘着ロール２１を外界の異物に対し封止できる。半割り筒状体７１を透明躯体とすることにより、粘着シート２１Ａへのゴミの捕捉度合を外部から視認できる。
【００６４】
(c)粘着ロール２１の全ての粘着シート２１Ａを使用し尽くしたときには、粘着ロールホルダ７０の支軸７３、７４に対し、新旧の粘着ロール２１を簡易に交換できる。
【図面の簡単な説明】
【００６５】
【図１】図１は清掃具を示す断面図である。
【図２】図２は清掃具を上方から視た斜視図である。
【図３】図３は清掃具を底面側から視た斜視図である。
【図４】図４は掻き上げ体と接触回転体の偏心構造を示す模式図である。
【図５】図５は図４のV-V線に沿う断面図である。
【図６】図６は掻き上げ体の歯車列を示す断面図である。
【図７】図７は図６のVII-VII線に沿う断面図である。
【図８】図８は図４のVIII-VIII線に沿う断面図である。
【図９】図９は接触回転体の歯車列を示す断面図である。
【図１０】図１０は掻き上げ体の掻き上げ性を示す模式図である。
【図１１】図１１はアームとタイヤの配置関係を示す底面図である。
【図１２】図１２は粒ゴミの捕捉構造を示す模式図である。
【図１３】図１３は塵取部の脱着構造を示す模式図である。
【図１４】図１４は塵取部の取外し状態を示す模式図である。
【図１５】図１５は粘着ロールホルダを示す断面図である。
【図１６】図１６は粘着ロールの更新状態を示す模式図である。
【図１７】図１７は粘着ロールホルダの単体利用状態を示す模式図である。
【図１８】図１８は粘着ロールホルダを取外した清掃具を示す斜視図である。
【符号の説明】
【００６６】
１０  清掃具
１５  フレーム
１６  掻き上げ体
２１  粘着ロール
２３  塵取部
５０  ゴミ止め部
６０  ガードカバー
【図１】
2005245886.tif 000003
【図２】
2005245886.tif 000004
【図３】
2005245886.tif 000005
【図４】
2005245886.tif 000006
【図５】
2005245886.tif 000007
【図６】
2005245886.tif 000008
【図７】
2005245886.tif 000009
【図８】
2005245886.tif 000010
【図９】
2005245886.tif 000011
【図１０】
2005245886.tif 000012
【図１１】
2005245886.tif 000013
【図１２】
2005245886.tif 000014
【図１３】
2005245886.tif 000015
【図１４】
2005245886.tif 000016
【図１５】
2005245886.tif 000017
【図１６】
2005245886.tif 000018
【図１７】
2005245886.tif 000019
【図１８】
2005245886.tif 000020